(57)【要約】【課題】箸を固定する機能を備えることにより、より便利で、使用者の識別にも有利となる使い捨て食器を提供すること。【解決手段】使い捨て食器Ａは、碗１の周縁の互いに向き合う対称位置に２つの切欠部１１が設けられ、両方の切欠部１１の下縁に水平な支承片１２が設けられ、一方の支承片１２に開孔１３が形成され、かつ一方の支承片１２に一側方に向けて延伸された被覆片１４を備える。使用時は、箸２を両方の切欠部１１に挟んで支承片１２上に配置し、被覆片１４を箸２の先端に巻き付け、被覆片１４の前端を支承片１２の開孔１３に挿入して箸２を位置決めし、碗１に固定する。【選択図】図３
0003180156.tif 000002
【実用新案登録請求の範囲】
【請求項１】
碗の周縁の互いに向き合う対称位置に２つの切欠部が設けられ、両方の切欠部の下縁に水平な支承片が設けられ、一方の支承片は、開孔１３が形成され、かつ一側方に向けて延伸された被覆片を備え、
使用時は、箸を両方の切欠部に挟んで支承片上に配置し、
一時的に碗を使用しないときは、被覆片を前記箸の先端に巻き付け、前記被覆片の前端を前記支承片の前記開孔に挿入して前記箸を位置決めし、前記碗に固定する、
ことを特徴とする使い捨て食器。
【請求項２】
前記碗の前記切欠部が、上方がやや幅広で下方がやや狭い形状に形成され、太さの異なる箸に対応可能とされた、
ことを特徴とする請求項１に記載の使い捨て食器。
【請求項３】
前記被覆片に貼付する異なる色のシールを有し、前記シールの色により使用者を識別できるようにした、
ことを特徴とする請求項１に記載の使い捨て食器。
【考案の詳細な説明】
【技術分野】
【０００１】
本考案は、箸を固定する機能を備えた使い捨て食器に関し、特に、使い捨て食器の使用時、箸を位置決めし、且つ使用者の識別に有利であり、不適切な場所に箸が放置されて汚れたり、使用者を識別するのが困難なため捨てられたりすることがないようにして箸の使用量を減少し、環境保護の目的を達する使い捨て食器に関する。
【背景技術】
【０００２】
一般に屋外で使い捨て食器を使用するときには、箸を固定することができないため、常に手に持っていなければならず、非常に不便である。また、食事をする場所を離れた後、箸が不適切な場所に放置され、戻ってきて再び食事をしようとするとき、箸が汚れていたり、使用者を識別することができなかったりして、一旦使用されたもののまだきれいな箸が捨てられ、新しい箸が使用されることがよくある。これは手間がかかるだけでなく、環境保護の要件にも適合しない。
【考案の概要】
【考案が解決しようとする課題】
【０００３】
そこで、本考案は、これに鑑みてなされたもので、その目的は、箸を固定する機能を備えることにより、より便利で、使用者の識別にも有利となる使い捨て食器を提供することにある。
【課題を解決するための手段】
【０００４】
本考案の使い捨て食器は、上記課題を解決するために、箸を固定する機能を備えた使い捨て食器であって、碗の周縁の互いに向き合う対称位置に２つの切欠部が設けられ、両方の切欠部の下縁に水平な支承片が設けられ、一方の支承片は、開孔１３が形成され、かつ一側方に向けて延伸された被覆片を備え、
使用時は、箸を両方の切欠部に挟んで支承片上に配置し、
一時的に碗を使用しないときは、被覆片を前記箸の先端に巻き付け、前記被覆片の前端を前記支承片の前記開孔に挿入して前記箸を位置決めし、前記碗に固定する、
ことを特徴とする。
【考案の効果】
【０００５】
本考案の使い捨て食器によれば、使用者の識別にも有利であり、不適切な場所に箸が放置されて汚れたり、使用者を識別するのが困難なため捨てられたりすることがないようにして箸の使用量を減少することができる。
【図面の簡単な説明】
【０００６】
【図１】本考案の実施形態に係る使い捨て食器を示す斜視図である。
【図２】使い捨て食器の平面図である。
【図３】使用状態を示す使い捨て食器と箸の斜視図である。
【図４】別の使用状態を示す使い捨て食器と箸の斜視図である。
【図５】使い捨て食器の別の実施形態を示す斜視図である。
【考案を実施するための最良の形態】
【０００７】
以下、図面を参照して本考案の実施の形態を説明する。図１は本考案の実施形態に係る使い捨て食器を示す斜視図である。図２は使い捨て食器の平面図である。図３は使用状態を示す使い捨て食器と箸の斜視図であり、図４は別の使用状態を示す使い捨て食器と箸の斜視図である。図５は使い捨て食器の別の実施形態を示す斜視図である。
【０００８】
［実施例１］
図１から図２に示すように、本考案の使い捨て食器Ａは碗１を備える。本実施例の碗１は、平面視においてりんごの形状のようにさまざまな形状とすることができる。碗１の周縁の互いに向き合う対称位置に２つの切欠部１１が設けられ、本実施例では、これら切欠部１１は上方がやや幅広で下方がやや狭くなった形状に形成されており、切欠部１１の下縁には水平な支承片１２（切込みを入れて切欠部１１を形成した後に残る片状部）が設けられ、かつそのうちの１つの支承片１２は、開孔１３が形成され、かつ該支承片１２に一側方に向けて適切な長さに延伸された被覆片１４を備えている。
【０００９】
前述の構成部材の組み合わせにより、箸２を固定する機能を備えた使い捨て食器Ａが構成される。使い捨て食器Ａの使用時は、箸２を碗１の切欠部１１、１１に挟んで置き、支承片１２、１２上に配置すれば、常に手に持っている必要がない。一時的に碗１を使用しないときは、被覆片１４を箸２の先端に巻き付け、その前端を開孔１３に挿入して箸２を位置決めし、碗１に固定することができる。また同時に、使用者の識別に有利であり，不適切な場所に箸が放置されて汚れたり、使用者を識別するのが困難なため捨てられたりすることがないようにして箸の使用量を減少できる。これにより、環境保護の目的を達する。
【００１０】
図３に本考案の使用時の実施例を示す。この図に示すように、本考案は使い捨て食器Ａを使用するとき、箸２を碗１の切欠部１１に挟んで置き、支承片１２上に配置して、常に手に持っている必要がなく、使い捨て食器Ａ及び箸２の使用がより便利になる。かつ切欠部１１は上方がやや幅広で下方がやや狭い形状に設けられており、異なる太さの箸２を切欠部１１に挟んで置くことができ、脱落し難くなっている。
【００１１】
図４に本考案の別の使用時の実施例を示す。図１をあわせて参照する。これらの図に示すように、使用者がしばらく食事環境を離れる必要があるときには、箸２を碗１の切欠部１１に挟んで置き、支承片１２上に配置して、被覆片１４を箸２の一端に巻き付け、その前端を支承片１２に形成した開孔１３に挿入して箸２を位置決めし、碗１に箸２を固定する。そうして、被覆片１４に異なる色のシール３を貼り付ければ、異なる色により使用者の識別に有利であり、不適切な場所に箸が放置されて汚れたり、使用者を識別するのが困難なため捨てられたりすることがないようにして箸の使用量を減少し、環境保護の目的を達することができる。
【００１２】
［実施例２］
図５に本考案の別の実施例の斜視図を示す。図５に示すように、本考案の使い捨て食器Ａの碗１は前述のりんごの形状のほか、異なる形状とすることができ、例えば、平面視においてオレンジのような円形にしても、同様に箸２を固定する機能を達することができる。
【００１３】
上述をまとめると、本考案は切欠部１１を設けた碗１に、碗１の周縁から延伸した被覆片１４を組み合わせ、箸２を固定する機能を備えた使い捨て食器Ａを構成し、箸２を使い捨て食器Ａに固定できてより便利であると同時に、使用者の識別に有利であり、不適切な場所に箸が放置されて汚れたり、使用者を識別するのが困難なため捨てられたりすることがないようにして箸の使用量を減少することができる。
【符号の説明】
【００１４】
１  碗
１１  切欠部
１２  支承片
１３  開孔
１４  被覆片
２  箸
３  シール
Ａ  使い捨て食器
【図１】
0003180156.tif 000003
【図２】
0003180156.tif 000004
【図３】
0003180156.tif 000005
【図４】
0003180156.tif 000006
【図５】
0003180156.tif 000007